(57)【要約】【課題】  複数本の物干し竿を掛架でき、水平・斜め方向の移動が容易で、干し物をかけたまゝ垂直下方の収納位置への操作がワンタッチでなされる支持具を提供すること。【解決手段】  壁面に固着するブラケットの弧状部の複数個所に凹陥部を形成し、ブラケットの片側に重ね合わせたアームの基部をブラケットの中心軸に回動可能に軸支し該中心軸に、先端部がブラケットの弧状部よりも外方に突出し且つ先端下部を凹欠とした遊動片を軸支する。遊動片の前部に、アームに基部を枢着し且つバネ材によって弾性付勢された制御片を重合し、制御片の先端部寄りに、前記凹陥部に噛合する係合ピンを固着する。而してブラケットの前記弧状部の上下端に、制御片の係合ピンが当接する抑止部を形成し、ブラケットの上下部に遊動片の端部が当接するストッパーを夫々突設する。【選択図】図１
0003128483.tif 000002
【実用新案登録請求の範囲】
【請求項１】
壁面に固着するブラケットの弧状部の複数個所に凹陥部を形成し、ブラケットの片側に重ね合わせたアームの基部をブラケットの中心軸に回動可能に軸支し且つ該中心軸に、先端部がブラケットの弧状部よりも外方に突出し且つ先端下部を凹欠とした遊動片を軸支するとともに、遊動片の前部に、アームに基部を枢着し且つバネ材によって弾性付勢された制御片を重合し、制御片の先端部寄りに、前記凹陥部に噛合する係合ピンを固着し、而してブラケットの前記弧状部の上下端に、制御片の係合ピンが当接する抑止部を形成し、ブラケットの上下部に遊動片の端部が当接するストッパーを夫々突設してなることを特徴とするワンタッチ解ロック式物干し竿支持具。
【考案の詳細な説明】
【技術分野】
【０００１】  本考案は、物干し竿を設定位置からワンタッチで下方に収納移動できるワンタッチ解ロック式物干し竿支持具に関する。
【背景技術】
【０００２】  物干し竿の角度調節ができて適宜の傾斜位置で物干し竿を取り付けることができるとした物干し竿支持具は従来から知られている（例えば特許文献１〜特許文献３参照）。
【特許文献１】特開２００１−２５６００号公報
【特許文献２】登録実用新案第３０００７８４号公報
【特許文献２】実開平７−５５９５号公報
【考案の開示】
【考案が解決しようとする課題】
【０００３】  特許文献１に記載のものは、マンションのベランダの柵に物干し竿を取り付ける場合に有効な支持具の提案であり、使用時には物干し竿を一定の角度に突出させて布団などを干し、不使用時には物干し竿を上方に収納可能としたものであるが、この支持具は物干し竿が一定角度以外に位置決めできないのと、複数本の物干し竿を掛架できず、使用範囲も限定されるという問題がある。【０００４】  特許文献２に記載のものは、物干し竿を支持する支持腕の張出角度を水平方向だけでなく、斜め上、斜め下などの角度にも位置決めできることを特徴としているが、支持腕の角度を変更するには支持腕をもって軸を移動させる必要があり、したがって物干し竿の左右にある支持腕の夫々をその都度調節しなければならない手間を要し、支持腕を下方に収納移動する際、特に物干し竿に多数の干し物があって重量大なる場合などは取り扱いが頗る面倒となる欠点を有している。【０００５】  特許文献３に記載のものは、工具を使用しないでアームを水平位置、上向き４５度の傾斜位置等の複数位置に係止することができるとしているが、係止させるための調節作業がアームを前後にずらしながら然も上下に回動させるというものであるから、慣れないと簡単には所定の位置に固定できず、また垂直方向への収納移動ができないという不具合もある。この他所定位置に物干し竿を固定してロックする形式の支持具では、ロックを外すのに多大な手間や人員を要するといった問題点がある。【０００６】  本考案はこのような従来の事情に鑑みなされたもので、複数本の物干し竿を掛架できることは勿論、水平位置、上下の傾斜位置への調節が容易で、なかんずく物干し竿に干し物が掛かった状態の固定位置から垂直下方の収納位置への移動がワンタッチでなされる、ワンタッチ解ロック式物干し竿支持具を提供しようとするものである。
【課題を解決するための手段】
【０００７】  すなわち本考案は、壁面Ａに固着するブラケット１０の弧状部１１の複数個所に凹陥部１２ａ・１２ｂ・１２ｃを形成し、ブラケット１０の片側に重ね合わせたアーム２０の基部をブラケット１０の中心軸１４に回動可能に軸支し且つ該中心軸１４に、先端部がブラケット１０の弧状部１１よりも外方に突出し且つ先端下部を凹欠とした遊動片１５を軸支するとともに、遊動片１５の前部に、アーム２０に基部を枢着し且つバネ材３２によって弾性付勢された制御片３０を重合し、制御片３０の先端部寄りに、前記凹陥部１２ａ・１２ｂ・１２ｃに噛合する係合ピン３１を固着し、而してブラケット１０の前記弧状部１１の上下端に、制御片３０の係合ピン３１が当接する抑止部１３ａ・１３ｂを形成し、ブラケット１０の上下部に遊動片１５の端部が当接するストッパー１７ａ・７ｂを夫々突設してなることを技術手段としている。
【考案の効果】
【０００８】  アームの制御片に固着した係合ピンが下方より上方に向かって移動すると遊動片は係合ピンによって押し上げられるとともに、ブラケットに形成した複数の凹陥部に係合ピンが噛合して夫々の向きにアームが固定されるので物干し竿の角度設定ができる。制御片はバネ材によって絶えず上方に向けて付勢されているため、係合ピンが凹陥部より下方に脱出することがなく、それゆえアームが自動的に下方へ回動するおそれもなく、したがって物干し竿は安定状態を保持する。【０００９】  アームを下方の垂直位置に収納する場合は、アームを最上部の凹陥部より更に上方へと回動させる。すると遊動片がブラケットの上部ストッパーに当接して停止するが、制御片は遊動片の表面を移動し、遂には係合ピンが弧状部上端の抑止部に当接するためアームはそれ以上には回動しない。その状態からアームを下方へと回動すると、係合ピンは弧状部から離れた位置にあるため凹陥部には接することがなく、また屈曲片と重合してある遊動片も連動して下方へと回動し、遊動片は下部ストッパーに当接するとその位置で停止するが、制御片は係合ピンが弧状部下端の抑止部に当接して停止する位置まで移動し、停止した時にアームは垂直状態となる。つまりアームを極限位置まで上方に回動すると同時に下方へと移動させることができるので、物干し竿をつかんでそのまゝ下方へと回動すれば斜め上の凹陥部に固定されたロック状態から一気に垂直下方へとアームを収納することができて容易にロック状態を解くことができるという仕組みであり、したがって物干し竿に重量があっても難なく収納作業ができ、従来のように左右の支持具を個別に操作したり二人がかりでアームを収納するような手間が省かれる。
【考案を実施するための最良の形態】
【００１０】  図面に基づき本考案を説明すると、図１は本案支持具の動作の概略を示すもので、１０は壁面Ａに固着したブラケット、２０はブラケット１０に取り付けたアームである。実線で示されたアーム２０は水平状態であるが、仮想線で示した直上３０度の角度と、直下４５度の角度にも位置決めできる。位置決め状態のアームは下方には移動しないが上方への移動を可能としてあるので、仮想線で示した垂直下方の収納状態とするためには、仮想線で示した最上部の角度（水平状態から４５度の角度）まで一旦アーム２０を回動する。こうするとアーム２０はロックが解除されたと同様になり、一気に下方まで回動できて垂直下方に収納できる。なおアーム２０の回動は受け孔２１に挿通した物干し竿４０をつかんで簡単に操作できる。【００１１】  図２は本案支持具の要部構成を示すものでブラケット１０の先端に弧状部１１が形成され、該弧状部の中央（垂直線に対し水平位置）と斜め上（中央より３０度の角度）及び斜め下（垂直線と中央の中間すなわち４５度の角度）の３個所に半円形の凹陥部１２ａ・１２ｂ・１２ｃが欠設され、また弧状部１１の上下端（上端は斜め上の凹陥部１２ｂより１５度の角度と、下端は斜め下の凹陥部１２ｃと間隔をあけた垂直位置）には後記する係合ピン３１が当接する抑止部１３ａ・１３ｂが形成されている。【００１２】  アーム２０はブラケット１０の片側（図では裏側）に重ね合わせてあり、複数本の物干し竿４０を掛架できる受け孔２１が列設され、そしてアーム２０の基部はブラケット１０の中心部（半円を描くと前記弧状部１１と同心円となる）に取り付けた中心軸１４に回動可能に軸支されている。【００１３】  中心軸１４には、先端部がブラケット１０の弧状部１１よりも外方に突出し且つ先端に凹欠部１６を形成した遊動片１５を軸支してあり、遊動片１５の前部（先端部近傍）にはアーム２０に基部を枢着した制御片３０を重合してある。この制御片３０は基部が低く、前部を高く屈曲してなり、該前部を、遊動片１５の表面に配置したもので、枢着部３５に巻回装付したバネ材３２によってブラケット１０側に弾性付勢されている。なおバネ材３２は一端部をアーム２０側の係止部３３に固定し、他端部を制御片３０上の係止部３４に固定している。【００１４】  制御片３０には、先端部寄りに前記凹陥部１２ａ・１２ｂ・１２ｃに噛合する係合ピン３１が固着され、この係合ピン３１はアーム２０の中央に穿設した窓孔２２に遊嵌されている。係合ピン３１は各凹陥部１２ａ・１２ｂ・１２ｃを移動するが窓孔２２より脱出することはない。【００１５】  弧状部１１の上端に形成した抑止部１３ａは、アーム２０を上方へ回動して係合ピン３１が斜め上の凹陥部１２ｂより脱出して更に上方へと移動してもそれ以上の動きを抑止し、また弧状部１１の下端に形成した抑止部１３ｂは、アーム２０を下方の垂直位置に収納したときに係合ピン３１が当接してアーム２０の垂直状態を保持するものである。而して図中１７ａ・１７ｂはブラケットの上下部に突設した遊動片１５の当接するストッパーである。【００１６】  図３は、図２に示す水平状態のアーム２０を上方に回動したもので、係合ピン３１がバネ材３２に抗して凹陥部１２ａより脱出し���のち弧状部１１に沿って移動し、斜め上に移動して凹陥部１２ｂに係合してアーム２０は停止する。すなわちアーム２０は、斜め下の凹陥部１２ｃと、水平位置の凹陥部１２ａ、斜め上の凹陥部１２ｂのいずれにも係合ピン３１が係合停止することで所定の角度に位置決めでき、アーム２０に掛架した物干し竿４０を夫々の角度に調節設定できる。【００１７】  アーム２０を下方の垂直位置に収納して物干し竿４０を降下させる場合は、アーム２０を図４のように一旦上方に回動する。最上方までアーム２０を回動すると、遊動片１５はブラケット１０の上部に設けたストッパー１７ａに当接して停止するが、制御片３０はそのまゝアーム２０の動きに連動し遂には係合ピン３１が弧状部１１上端に形成されている抑止部１３ａに当接する。このとき制御片３０はバネ材３２によって遊動片１５と係着し、係合ピン３１は遊動片１５の凹欠部１６と合致して弧状部１１の外縁に位置する。すなわち最上部に位置したアーム２０は係合ピン３１が斜め上の凹陥部１２ｂより脱出し且つ遊動片１５の凹欠部１６によって弧状部１１と接しないですむため、あたかもロックが解除されたと同様のフリー状態となり、したがってそのまゝ遊動片１５とともに下方へと一気に移動させることができる。【００１８】  アーム２０に連動して下方へと回動した遊動片１５は、ブラケット１０に設けた下部のストッパー１７ｂに当接して停止するが、係合ピン３１は遊動片１５の凹欠部１６から外れて弧状部１１上を回動し、遂には弧状部１１下端の抑止部１３ｂに当接して停止するのでアーム２０は垂直下向きの収納状態となる（図５参照）。このようにしてアーム２０は回動するが、アーム２０の動きは物干し竿をつかんで上下に動かせば自動的に調節でき、物干し竿に干し物が多数あってもわずかな力をかけるだけで所定角度への調節は勿論、高所に位置する物干し竿をワンタッチで垂直下向きに収納できる。【００１９】  図６は本案支持具の他の例の概略を示すもので、ブラケット１０の内側に弧状孔１１’を形成し、凹陥部１２ａ’・１２ｂ’・１２ｃ’を弧状孔１１’に夫々設けたものであるが、このような構成は勿論、本考案の目的効果を奏する範囲において構造上の図示した以外の変更も本考案の実施の範疇に属する。
【図面の簡単な説明】
【００２０】
【図１】  アームの作動状態を鎖線で示した本案の概略説明図である。
【図２】  支持具の要部を示す説明図である。
【図３】  水平状態のアームを斜め上方に回動した説明図である。
【図４】  アームを上方極限位置まで回動した説明図である。
【図５】  アームを垂直下向きとした収納状態の説明図である。
【図６】  本案支持具の他の例を示す説明図である。
【符号の説明】
【００２１】Ａ  壁面
１０  ブラケット
１１  弧状部
１２ａ・１２ｂ・１２ｃ  凹陥部
１３ａ・１３ｂ  抑止部
１４  中心軸
１５  遊動片
１７ａ・１７ｂ  ストッパー
２０  アーム
３０  制御片
３１  係合ピン
３２  バネ材
【図１】
0003128483.tif 000003
【図２】
0003128483.tif 000004
【図３】
0003128483.tif 000005
【図４】
0003128483.tif 000006
【図５】
0003128483.tif 000007
【図６】
0003128483.tif 000008